(57)【特許請求の範囲】
【請求項１】
ＶＨＦ帯のテレビジョン信号を増幅する高周波増幅回路と、前記テレビジョン信号の入力端と前記高周波増幅回路との間に介挿された信号減衰用のトラップ回路とを備え、
前記トラップ回路はインダクタンス素子と、前記インダクタンス素子に直列に接続されたバラクタダイオードと、前記インダクタンス素子と前記バラクタダイオードとの直列回路に並列に接続された第一のコンデンサとを有し、ＦＭ放送帯に周波数が最も近接する近接チャンネル及び前記ＦＭ放送帯域の二倍の周波数に一致する二倍周波数チャンネルを受信するときには前記バラクタダイオードに逆バイアス電圧を印加して前記トラップ回路のトラップ周波数を前記ＦＭ放送帯域内となるように設定され、前記近接チャンネル及び前記二倍周波数チャンネル以外の他チャンネルを受信するときには前記バラクタダイオードをオンにして前記トラップ回路のトラップ周波数をテレビジョンの中間周波帯域内となるように設定されている
ことを特徴とするテレビジョンチューナ。
【請求項２】
前記近接チャンネルを米国仕様のチャンネル６とし、前記二倍周波数チャンネルを米国仕様のハイバンドのチャンネルとしたことを特徴とする請求項１に記載のテレビジョンチューナ。
【請求項３】
前記バラクタダイオードに第二のコンデンサを接続したことを特徴とする請求項１又は２に記載のテレビジョンチューナ。
【請求項４】
前記トラップ回路と前記高周波増幅回路との間に設けられ、前記ＶＨＦ帯のハイバンドのチャンネルを受信するときにオンし、ローバンドのチャンネルを受信するときにオフするスイッチダイオードを有すると共に、受信するチャンネルの周波数に同調する入力同調回路と、前記スイッチダイオードのアノードに直流的に接続された第一の端子と、前記スイッチダイオードのカソードに直流的に接続された第二の端子と、前記バラクタダイオードのカソードに直流的に接続された第三の端子とを設け、前記バラクタダイオードのカソードを第一の抵抗を介して接地すると共に、アノードを前記スイッチダイオードのカソードと前記第二の端子とに直流的に接続して、且つ、第二の抵抗を介して接地し、前記近接チャンネルを受信するときには前記第二の端子と前記第三の端子とに電圧を印加し、前記二倍周波数チャンネルを受信するときには前記第一の端子と前記第三の端子に電圧を印加し、前記他チャンネルを受信するときには前記第二の端子にのみ電圧を印加したことを特徴とする請求項２又は３に記載のテレビジョンチューナ。
【発明の詳細な説明】
【０００１】
【発明の属する技術分野】
この発明は、ＦＭ信号から受ける妨害と中間周波数帯の信号から受ける妨害とを効果的に改善したテレビジョンチューナに関する。
【０００２】
【従来の技術】
図３は従来のテレビジョンチューナ（以下、単にチューナという）の構成を示す。図３において、入力端３１に入力されたテレビジョン信号は、ＣＢトラップ回路３２とＩＦトラップ回路３３とを経てＦＭトラップ回路３４に入力される。
ＣＢトラップ回路３２は直列共振回路で構成され、２７ＭＨｚ帯の市民バンドを減衰する。ＩＦトラップ回路３３は並列共振回路で構成され、例えば、米国仕様のテレビジョンの中間周波数帯を減衰する。
【０００３】
ＦＭトラップ回路３４はインダクタンス素子３４ａとコンデンサ３４ｂとによる並列共振回路で構成され、例えば、米国仕様のＦＭ放送帯を減衰する。
ＦＭトラップ回路３４には第一のスイッチダイオード３５が直流カットコンデンサ３６を介して並列に接続される。第一のスイッチダイオード３５のカソードは抵抗３７を介して接地され、且つ、第一の端子３８に直流的に接続される。第一の端子３８には第一のスイッチダイオード３５をオフにするための電圧が印加される。
ＦＭトラップ回路３４を通過したテレビジョン信号は入力同調回路３９に入力される。
【０００４】
入力同調回路３９は、ＶＨＦ帯のハイバンド又はローバンドに同調するように切り替えるための第二のスイッチダイオード３９ａ、同調周波数を変えるためのバラクタダイオード３９ｂ等を有する。第二のスイッチダイオード３９ａのカソードは第一のスイッチダイオード３５のアノードに直流的に接続され、また、抵抗３９ｃによって接地される。さらに、第二の端子４０に直流的に接続される。第二の端子４０には第二のスイッチダイオード３９ａをオフにするための電圧が印加される。
第二のスイッチダイオード３９ａのアノードは第三の端子４２に接続される。第三の端子４１には第二のスイッチダイオード３９ａを印加するための電圧が印加される。
【０００５】
バラクタダイオード３９ｂのアノードは直流的に接地され、カソードは第四の端子４２に接続される。第四の端子４２にはバラクタダイオード３９ｂの容量値を変えるための電圧（同調電圧）が印加される。入力同調回路３９の次段には高周波増幅回路４３が接続される。周波数変換するための混合回路（図示せず）は高周波増幅回路４３の後段に設けられる。
【０００６】
以上の構成において、米国仕様のＶＨＦ帯のハイバンドのチャンネルを受信するときには、第二の端子４０には電圧を印加せずに第一の端子３８と第三の端子４１とに電圧を印加する。すると、第一のスイッチダイオード３５がオフすると共に第二のスイッチダイオード３９ａがオンする。この結果、ＦＭトラップ回路３４はＦＭ放送帯を減衰する。
また、入力同調回路３９はハイバンドに同調し、同調周波数は第四の端子４２に印加される同調電圧によって所望のチャンネルの周波数に合わせられる。ここで、ハイバンドのチャンネルの周波数はＦＭ放送帯の二倍の周波数となっているが、ＦＭトラップ回路３４が機能するので、ＦＭ放送信号による妨害を受けない。
【０００７】
また、ローバンドのチャンネルのうち、ＦＭ放送帯に周波数が最も近接するチャンネル（例えば、米国仕様ではチャンネル６）を受信するときには、第三の端子４１には電圧を印加せずに第一の端子３８と第二の端子４０とに電圧を印加する。すると、第一のスイッチダイオード５及び第二のスイッチダイオード９ａがオフする。この結果、ＦＭトラップ回路４が機能し、入力同調回路３９はローバンドに同調し、同調周波数は第四の端子４２に印加される同調電圧によって所望のチャンネルの周波数に合わせられる。
【０００８】
また、ＦＭ放送帯域に最も近接するチャンネル以外のローバンドのチャンネルを受信するときは、第一の端子３８と第三の端子４１とには電圧を印加せずに、第二の端子４０に電圧を印加する。すると、第一のスイッチダイオード５がオンし、第二のスイッチダイオード３９ａがオフする。この結果、ＦＭトラップ回路３４は無効となるので、ＦＭ放送帯を使用して送られてくるＣＡＴＶ信号も受信できる。入力同調回路９はローバンドのチャンネルに同調される。
【０００９】
【発明が解決しようとする課題】
図３から明らかなように、従来のチューナではＩＦトラップ回路とＦＭトラップ回路とを独立して設けていたので、使用する部品点数が多くなって部品コストが嵩み、さらに、小型化を図る際の障害となっていた。
【００１０】
そこで、本発明のテレビジョンチューナは、トラップ回路に使用する部品点数を少なくしてテレビジョンの中間周波数帯とＦＭ放送帯とを効果的に減衰することを目的とする。
【００１１】
【課題を解決するための手段】
上記課題の解決のため、本発明のテレビジョンチューナは、ＶＨＦ帯のテレビジョン信号を増幅する高周波増幅回路と、前記テレビジョン信号の入力端と前記高周波増幅回路との間に介挿された信号減衰用のトラップ回路とを備え、前記トラップ回路はインダクタンス素子と、前記インダクタンス素子に直列に接続されたバラクタダイオードと、前記インダクタンス素子と前記バラクタダイオードとの直列回路に並列に接続された第一のコンデンサとを有し、ＦＭ放送帯に周波数が最も近接する近接チャンネル及び前記ＦＭ放送帯域の二倍の周波数に一致する二倍周波数チャンネルを受信するときには前記バラクタダイオードに逆バイアス電圧を印加して前記トラップ回路のトラップ周波数を前記ＦＭ放送帯域内となるように設定され、前記近接チャンネル及び前記二倍周波数チャンネル以外の他チャンネルを受信するときには前記バラクタダイオードをオンにして前記トラップ回路のトラップ周波数をテレビジョンの中間周波帯域内となるように設定されている。
【００１２】
また、前記近接チャンネルを米国仕様のチャンネル６とし、前記二倍周波数チャンネルを米国仕様のハイバンドのチャンネルとした。
【００１４】
また、前記バラクタダイオードに第二のコンデンサを接続した。
【００１５】
また、前記トラップ回路と前記高周波増幅回路との間に設けられ、前記ＶＨＦ帯のハイバンドのチャンネルを受信するときにオンし、ローバンドのチャンネルを受信するときにオフするスイッチダイオードを有すると共に、受信するチャンネルの周波数に同調する入力同調回路と、前記スイッチダイオードのアノードに直流的に接続された第一の端子と、前記スイッチダイオードのカソードに直流的に接続された第二の端子と、前記バラクタダイオードのカソードに直流的に接続された第三の端子とを設け、前記バラクタダイオードのカソードを第一の抵抗を介して接地すると共に、アノードを前記スイッチダイオードのカソードと前記第二の端子とに直流的に接続して、且つ、第二の抵抗を介して接地し、前記近接チャンネルを受信するときには前記第二の端子と前記第三の端子とに電圧を印加し、前記二倍周波数チャンネルを受信するときには前記第一の端子と前記第三の端子に電圧を印加し、前記他チャンネルを受信するときには前記第二の端子にのみ電圧を印加した。
【００１６】
【発明の実施の形態】
図１に本発明のテレビジョンチューナ（以下、単にチューナという）の回路図を示す。図１において、テレビジョン信号の入力端１は、直流カットコンデンサ２を介して第一のトラップ回路３と第二のトラップ回路４との各一端に接続される。第一のトラップ回路３は一端が接地されたコンデンサ３ａとインダクタンス素子３ｂとの直列共振回路で構成され、２７ＭＨｚ帯の市民バンドを減衰するためのＣＢトラップ回路となる。そして、コンデンサ３ａとインダクタンス素子３ｂとの接続点は第一の抵抗５によって接地されると共に、第一の端子６に直流的に接続される。
【００１７】
また、第二のトラップ回路４は互いに直列接続されたインダクタンス素子４ａ及び第一のバラクタダイオード４ｂと、インダクタンス素子４ａと第一のバラクタダイオード４ｂとの直列回路に並列に接続された第一のコンデンサ４ｃと、第一のバラクタダイオード４ｂに並列に接続された第二のコンデンサ４ｄとからなる並列共振回路で構成される。
【００１８】
インダクタンス素子４ａと第一のコンデンサ４ｃとの接続点は入力端１に接続されると共に、第一のトラップ回路３のインダクタンス素子３ｂに接続される。この結果、第一のバラクタダイオード４ｂのカソードは第一の抵抗５によって直流的に接地され、さらに、第一の端子６にも直流的に接続される。第一のバラクタダイオード４ｂは第一の端子６に電圧が印加されたときにオフし、印加しないときにオンする。
【００１９】
第二のトラップ回路４の並列共振周波数は第一のバラクタダイオード４ｂがオンしたときは低くなり、オフしたときは逆バイアスされて容量を持つので高くなる。そこで、オンしたときの並列共振周波数は、テレビジョンの中間周波数帯、例えば、米国仕様では４１ＭＨｚ乃至４７ＭＨｚの間（日本仕様では５４ＭＨｚ乃至６０ＭＨｚの間）になるように設定されている。
また、オフしたときの並列共振周波数はＦＭ放送帯、例えば、米国仕様では８８ＭＨｚ乃至１０８ＭＨｚの間（日本仕様では７６ＭＨｚ乃至９０ＭＨｚの間）になるように設定される。
従って、第二のトラップ回路４は周波数切替型のトラップ回路となる。
【００２０】
第二のトラップ回路４の出力側には入力同調回路７が設けられる。
入力同調回路７は、ＶＨＦ帯のハイバンドのチャンネル又はローバンドのチャンネルに同調するように切り替えられ、この切替のためのスイッチダイオード７ａと、図示のように互いに直列に接続された三つのインダクタンス素子７ｂ、７ｃ、７ｄと、直流カットコンデンサ７ｅを介してインダクタンス素子７ｂに直列に接続されたインダクタンス素子７ｆと、同調周波数を変えるための第二のバラクタダイオード７ｇ等を有している。そして、インダクタンス素子７ｂと７ｃとの接続点が第一のバラクタダイオード４ｂのアノードに接続される。
【００２１】
インダクタンス素子７ｄは直流カットコンデンサ７ｈによって接地されると共に、第二の抵抗８によって接地される。また、第二の端子９にも接続される。スイッチダイオード７ａのカソードはインダクタンス素子７ｂと直流カットコンデンサ７ｅとの接続点に接続され、カソードは直流カットコンデンサ７ｉを介してインダクタンス素子７ｃと７ｄとの接続点に接続されると共に、第三の端子１０に接続され、さらに、抵抗１１によって接地される。この結果、スイッチダイオード７ａのカソードは第一のバラクタダイオード４ａのアノードに直流的に接続される。第二の端子９にはスイッチダイオード７ａをオフにするための電圧が印加され、第三の端子１０にはオンにするための電圧が印加される。
【００２２】
直流カットコンデンサ７ｅとインダクタンス素子７ｆとの接続点は抵抗１２によって接地される。第二のバラクタダイオード７ｇのカソードはインダクタンス素子７ｆの他端に接続され、アノードは第四の端子１３に接続される。第四の端子１３には第二のバラクタダイオード７ｇの容量値を変えるための電圧（同調電圧）が印加される。
そして、入力同調回路７の次段に高周波増幅回路１４が接続され、高周波増幅回路１４の後段に混合回路（図示せず）が設けられる。
【００２３】
以上の構成において、ＦＭ放送帯に周波数が最も近接するチャンネル（ここでは近接チャンネルといい、米国仕様ではローバンドのチャンネル６）を受信するときには、第三の端子１０には電圧を印加せずに第一の端子６と第二の端子９とに電圧を印加する。この場合、第一の抵抗５、第二の抵抗８の抵抗値は第一のバラクタダイオードが逆バイアスされるように設定されているので、第一のバラクタダイオード４ｂとスイッチダイオード７ａとを共にオフする。この結果、第一のトラップ回路４の並列共振周波数はＦＭ放送帯の帯域内となり、第一のトラップ回路３と第二のトラップ回路４との総合伝送特性は図２の実線Ａのようになり、市民バンド（ＣＢで示す）とＦＭ放送帯（ＦＭで示す）において減衰する特性となる。チャンネル６は中間周波数帯（ＩＦで示す。）から周波数が離れているので、中間周波数帯を減衰しなくてもこの周波数帯に存在するたの信号によって妨害波受を受けることはない。
一方、入力同調回路７はスイッチダイオード７ａがオフすることによってローバンドに同調し、同調周波数は第四の端子１３に印加される同調電圧によってチャンネル６の周波数に合わせられる。
【００２４】
次に、受信するチャンネルの周波数がＦＭ放送帯の二倍の周波数となるチャンネル（ここでは二倍周波数チャンネルといい、米国仕様ではハイバンドの全チャンネルがこれに相当する）を受信するときには、第二の端子９に電圧を印加せずに第一の端子６と第三の端子１０に電圧を印加する。すると、第一のバラクタダイオードはオフし、スイッチダイオード７ａはオンする。従って、この場合の総合伝送特性も図２の実線Ａのようになる。この場合においても二倍周波数のチャンネルは中間周波数帯から離れているので、中間周波数帯を減衰しなくても妨害を受けない。
そして、入力同調回路７はスイッチダイオード７ａがオンすることによってハイバンドに同調し、同調周波数は第四の端子１３に印加される同調電圧にハイバンドの受信するチャンネルの周波数に合わせられる。
【００２５】
次に、近接チャンネル以外のチャンネル（ここでは他チャンネルとい、チャンネル６以外のローバンドのチャンネル（チャンネル２からチャンネル５まで）がこれに相当する。）を受信するときには、第一の端子６と第三の端子１０とには電圧を印加せずに第二の端子９に電圧を印加する。すると、第一のバラクタダイオード４ｂはオンし、スイッチダイオード７ａはオフする。従って、総合伝送特性は図２の点線Ｂに示すように、市民バンドと中間周波数帯で減衰し、ＦＭ放送帯では減衰しない特性となる。従って、ＦＭ放送帯を使用して送られるＣＡＴＶ信号を受信出来る。また、ＡＩＲ（通常のテレビジョン信号）で送られるチャンネルであっても、ＦＭ放送帯から離れているのでＦＭ放送信号による妨害波は問題にならない。
【００２６】
そして、本発明の第二のトラップ回路４は従来と比較すると、使用するインダクタンス素子、コンデンサ、抵抗の数がそれぞれ一個少なくなっている。
なお、第一のバラクタダイオード４ａに第二のコンデンサ４ｄを並列に接続しているので、第二のトラップ回路４の並列共振周波数を中間周波数帯とＦＭ放送周波数帯とに合わせやすくなっている。
【００２７】
【発明の効果】
以上のように、本発明のテレビジョンチューナは、テレビジョン信号の入力端と高周波増幅回路との間に介挿された信号減衰用のトラップ回路を備え、前記トラップ回路はインダクタンス素子と、前記インダクタンス素子に直列に接続されたバラクタダイオードと、前記インダクタンス素子と前記バラクタダイオードとの直列回路に並列に接続された第一のコンデンサとを有し、ＦＭ放送帯に周波数が最も近接する近接チャンネル及び前記ＦＭ放送帯域の二倍の周波数に一致する二倍周波数チャンネルを受信するときには前記バラクタダイオードに逆バイアス電圧を印加して前記トラップ回路のトラップ周波数を前記ＦＭ放送帯域内となるように設定され、前記近接チャンネル及び前記二倍周波数チャンネル以外の他チャンネルを受信するときには前記バラクタダイオードをオンにして前記トラップ回路のトラップ周波数をテレビジョンの中間周波帯域内となるように設定されていることで、バラクタダイオードを逆バイアスしたときにトラップ周波数をＦＭ放送帯に合わせ、オンしたときに中間周波数帯に合わせることが出来、受信チャンネルによって必要となるトラップ周波数を一つのトラップ回路によって使い分けることが出来るので、使用する部品点数を削減でき、コスト低減を図ることが出来る。また、小型化にも寄与する。
【００２８】
また、近接チャンネルを米国仕様のチャンネル６とし、二倍周波数チャンネルを米国仕様のハイバンドのチャンネルとしたので、米国仕様のテレビジョンチューナを安価に構成できる。
【００３０】
また、バラクタダイオードに第二のコンデンサを接続したので、トラップ周波数をＦＭ放送帯と中間周波数帯とに合わせ易い。
【００３１】
また、入力同調回路のスイッチダイオードのアノードに直流的に接続された第一の端子と、スイッチダイオードのカソードに直流的に接続された第二の端子と、バラクタダイオードのカソードに直流的に接続された第三の端子とを設け、近接チャンネルを受信するときには第二の端子と第三の端子とに電圧を印加し、二倍周波数チャンネルを受信するときには第一の端子と第三の端子に電圧を印加し、他チャンネルを受信するときには第二の端子にのみ電圧を印加したので、近接チャンネルと二倍周波数チャンネルとを受信するときにバラクタダイオードを逆バイアスすることが出来、他チャンネルを受信するときにバラクタダイオードをオンすることが出来る。
【図面の簡単な説明】
【図１】本発明のテレビジョンチューナの回路図である。
【図２】本発明のテレビジョンチューナの伝送特性図である。
【図３】従来のテレビジョンチューナの回路図である。
【符号の説明】
１  入力端
２  直流カットコンデンサ
３  第一のトラップ回路
３ａ  コンデンサ
３ｂ  インダクタンス素子
４  第二のトラップ回路
４ａ  インダクタンス素子
４ｂ  第一のバラクタダイオード
４ｃ  第一のコンデンサ
４ｄ  第二のコンデンサ
５  第一の抵抗
６  第一の端子
７  入力同調回路
７ａ  スイッチダイオード
７ｂ、７ｃ、７ｄ、７ｆ  インダクタンス素子
７ｅ、７ｈ、７ｉ  直流カットコンデンサ
７ｇ  第二のバラクタダイオード
８  第二の抵抗
９  第二の端子
１０  第三の端子
１１、１２  抵抗
１３  第四の端子
１４  高周波増幅回路
【図１】
0003801845.tif 000002
【図２】
0003801845.tif 000003
【図３】
0003801845.tif 000004